(57)【要約】ランバーサポート装置は、シートフレーム、シートフレームに接続された一対のブラケット、シートフレームを横切る中央部分とその中央部分対向側の一対の片持ち端部を形成するように一対のブラケットに接続されたスプリングアセンブリ、および片持ち端部を動作可能なように接続するアクチュエータアセンブリを備える。一対のブラケットにより、各々、片持ち端部を回動中心とする一対の支持台が設けられる。操作時には、アクチュエータアセンブリがスプリングアセンブリの片持ち端部を移動させて、中央部を折り曲げる。また、ランバーサポート装置は単一の片持ち端部を備えていてもよい。【選択図】  図１
2004527304.tif 000002
【特許請求の範囲】
【請求項１】
第一の支持台を有する第一のブラケットと、
前記第一のブラケットから離隔配置される第二のブラケットと、
第一の片持ち端部、第二の端部、および前記第一の片持ち端部と前記第二の端部と共に一体形成された中央部を有しており、前記第一の片持ち端部は前記第一のブラケットに回動可能に接続かつ片持ち支持され、前記第二の端部は前記第二のブラケットに接続され、前記中央部は前記第一のブラケットと前記第二のブラケットとの間を横切るように設けられており、前記第一の片持ち端部は、前記第一の支持台が第一の分離端部と中央部との間に配置されるように前記第一の支持台から前記第一の分離端部へ延在する第一のレバーを画定する、第一のスプリングと、
前記第一のレバーの前記第一の分離端部に動作可能なように接続され、前記第一の分離端部を移動させ、前記支持台が前記第一のレバーの摺動を停止させ、かつ前記第一のレバーを強制的に回転させるように設けられたアクチュエータアセンブリと、
を備えるランバーサポート装置。
【請求項２】
前記第一のブラケットを取り付けるための第一の側部と、前記第二のブラケットを取り付けるための第二の側部と、を有するシートフレームをさらに備える、
請求項１に記載のランバーサポート装置。
【請求項３】
前記第一のスプリングが正弦形状スプリングである、
請求項１に記載のランバーサポート装置。
【請求項４】
前記正弦形状スプリングが正弦波形状を成す連続ワイヤであり、
前記正弦形状スプリングの中央部は、中間部をさらに含んでおり、
前記中間部は、第一の小部分と第二の小部分とをさらに含んでおり、
前記第一の小部分は、前記第二の小部分の平均曲げ剛性よりも小さい曲げ剛性を有する、請求項３に記載のランバーサポート装置。
【請求項５】
前記第一のスプリングはリーフスプリングである、
請求項１に記載のランバーサポート装置。
【請求項６】
前記第一のブラケットの前記第一の支持台がレバーの摺動を制限するフックである、
請求項１に記載のランバーサポート装置。
【請求項７】
前記第一のブラケットの前記第一の支持台はレバーの摺動を阻止するループである、
請求項１に記載のランバーサポート装置。
【請求項８】
前記第一のブラケットがコイルスプリングをさらに含む、
請求項１に記載のランバーサポート装置。
【請求項９】
前記アクチュエータアセンブリが、前記第一の分離端部を牽引するように移動させる、
請求項１に記載のランバーサポート装置。
【請求項１０】
前記アクチュエータアセンブリが、前記第一の分離端部を推進するように移動させる、
請求項１に記載のランバーサポート装置。
【請求項１１】
前記第二のブラケットが第二の支持台をさらに有しており、
前記第二の端部は、回動可能に前記第二のブラケットに接続かつ片持ち支持され、
前記第二の端部は、前記第二の支持台から第二の分離端部へ延在する第二のレバーを画定し、
前記アクチュエータアセンブリは、前記第一の分離端部を動作可能なように前記第二の分離端部へ接続する、
請求項１に記載のランバーサポート装置。
【請求項１２】
前記スプリングアセンブリの中央部がさらに窪み部を有する、
請求項１に記載のランバーサポート装置。
【請求項１３】
第二のスプリングと一対のコネクタとを備えており、
前記一対のコネクタにより前記第一のスプリングが前記第二のスプリングに取り付けられる、
請求項１に記載のランバーサポート装置。
【請求項１４】
第一の支持台を有する第一のブラケットと、
前記第一のブラケットから離隔配置される第二のブラケットと、
第一の片持ち端部、第二の端部、および、前記第一の片持ち端部と第二の端部とに固設された中央部を有しており、前記第一の片持ち端部は前記第一のブラケットに回動可能に接続かつ片持ち支持され、前記第二の端部は前記第二のブラケットに接続され、前記中央部は前記第一の片持ち端部と第二の端部との間を横切るように設けられており、前記第一の片持ち端部は、前記第一の支持台が第一の分離端部と中央部との間に配置されるように前記第一の支持台から前記第一の分離端部へ延在する第一のレバーを画定する、スプリングアセンブリと、
前記第一のレバーの前記第一の分離端部に動作可能なように接続され、前記第一の分離端部を移動させ、前記支持台が前記第一のレバーの摺動を停止させ、かつ前記第一のレバーを強制的に回転させるように設けられたアクチュエータアセンブリと、
を備えるランバーサポート装置。
【請求項１５】
前記第一のブラケットを取り付けるための第一の側部と、前記第二のブラケットを取り付けるための第二の側部と、を有するシートフレームをさらに備える、
請求項１４に記載のランバーサポート装置。
【請求項１６】
前記第二のブラケットが第二の支持台をさらに有しており、
前記第二の端部は、回動可能に前記第二のブラケットに接続かつ片持ち支持され、
前記第二の端部は、前記第二の支持台から第二の分離端部へ延在する第二のレバーアームを画定し、
前記アクチュエータアセンブリは、前記第一の分離端部を動作可能なように前記第二の分離端部へ接続する、
請求項１４に記載のランバーサポート装置。
【請求項１７】
前記スプリングアセンブリの中央部がさらに窪み部を有する、
請求項１４に記載のランバーサポート装置。
【請求項１８】
前記アクチュエータアセンブリは、ボーデンケーブルとアクチュエータとをさらに有しており、
前記アクチュエータは、ボーデンケーブルアセンブリと動作可能なように係合し、
前記ボーデンケーブルアセンブリは、前記第一の分離端部を前記第二の分離端部に牽引するように連結させる、
請求項１４に記載のランバーサポート装置。
【請求項１９】
前記スプリングアセンブリが正弦波形形状を成す連続ワイヤであり、
前記正弦形状スプリングの中央部は、中間部をさらに含んでおり、
前記中間部は、第一の小部分と第二の小部分とをさらに含んでおり、
前記第一の小部分は、前記第二の小部分の平均曲げ剛性よりも小さい曲げ剛性を有する、請求項１４に記載のランバーサポート装置。
【請求項２０】
前記スプリングアセンブリは、第一のループ、最終ループ、および複数のループを有する正弦形状スプリングをさらに含んでおり、
前記第一のループは、前記第一の片持ち端部を画定し、
前記最終ループは、前記第二の片持ち端部を画定し、
前記複数のループは、前記中央部を画定し、かつ第二のループと第二−最終ループをさらに有しており、
前記第二のループは、前記第一のループと一体形成されており、
前記第二−最終ループは、前記最終ループと一体形成されている、
請求項１４に記載のランバーサポート装置。
【請求項２１】
互いに空間的に離隔配置された第一および第二の取付部と、
本質的にワイヤで構成されており、対向する第一および第二の長手方向端部マージンの間を長手方向の軌跡に沿って延在し、前記第一の長手方向端部マージンは動作可能なように前記第一の取付部に接続され、前記第二の端部マージンは動作可能なように前記第二の取付部に接続され、前記第一の取付部と前記第二の取付部との間の前記長手方向の軌跡に沿って延在する中間部をさらに含んでおり、前記中間部は第一と第二の小部分をさら含んであり、前記ワイヤは、前記第一の小部分が前記第二の小部分の平均曲げ剛性より小さい平均曲げ剛性を有するように構成され、かつ前記第二の端部マージンは前記第二の取付部に対して片持ち梁状に延在するレバーアームを含む、本体と、
前記レバーアームを介して動作可能なように前記本体へ接続されており、前記本体の前記長手方向の軌跡が第一と第二の位置との間で選択的に屈曲可能なように、かつ前記レバーアームを介して前記本体の前記第二の端部マージン内で曲げモーメントを誘起するように構成かつ適用され、前記第一と第二の小部分の各々に沿った前記長手方向の軌跡は、前記長手方向の軌跡が前記アクチュエータを介して前記第一と第二の位置との間で屈曲すると曲率が変化し、前記第一の小部分に沿った前記長手方向の軌跡の曲率変化は、前記第一の小部分と前記第二の小部分との間の平均曲げ剛性の差により、前記第二の小部分に沿った長手方向の軌跡の曲率変化より大きい、アクチュエータアセンブリと、
を備えるランバーサポート装置。
【請求項２２】
前記ワイヤは、前記本体の前記第一の端部マージンから前記第二端部マージンまで延在する少なくとも１本の連続ワイヤを含んでおり、
前記少なくとも１本の連続ワイヤは、前記ワイヤが前記本体の前記長手方向の軌跡に沿って延在するときに波形形状を有するように形成される、
請求項２１に記載のランバーサポート装置。
【請求項２３】
前記少なくとも１本の連続ワイヤが通常一定の直径を有する、
請求項２２に記載のランバーサポート装置。
【請求項２４】
前記波形形状が、前記中間部の前記第一の小部分にわたって前記第二の小部分の波形形状よりも大きい平均周波数および平均振幅を有する、
請求項２２に記載のランバーサポート装置。
【請求項２５】
前記ワイヤが前記１本の連続ワイヤから成る、
請求項２２に記載のランバーサポート装置。
【請求項２６】
前記連続ワイヤが前記第一と第二の端部マージンとの間で少なくとも２つの中間部をさらに含む、
請求項２２に記載のランバーサポート装置。
【請求項２７】
前記レバーアームが前記２つの中間部の間で前記連続ワイヤによって形成される、
請求項２６に記載のランバーサポート装置。
【請求項２８】
前記レバーアームが前記２つの中間部の前記第二の小部分の間で形成される、
請求項２７に記載のランバーサポート装置。
【請求項２９】
前記第一の端部マージンが、前記連続ワイヤによって形成される第一の端部レバーアームをさらに有しており、
前記第一の端部レバーアームは、第一の取付部に対して片持ち梁状に延在し、
前記アクチュエータアセンブリは、前記第一の端部レバーアームを介して前記本体の前記第一の端部マージンへ曲げモーメントを誘起することができるように、かつ、動作可能なように、前記第一の端部レバーアームを介して前記本体へ接続される、
請求項２７に記載のランバーサポート装置。
【請求項３０】
前記第二の取付部が一対のコイルスプリングさらに含む、
請求項２９に記載のランバーサポート装置。
【請求項３１】
前記ワイヤは、前記第一の小部分内に大径ワイヤを含んでおり、かつ前記第二の小部分内に小径ワイヤを含む、
請求項２１に記載のランバーサポート装置。
【請求項３２】
前記第二の取付部は、前記長手方向の軌跡が最初に前記アクチュエータを介して屈曲されるときに、前記本体の前記第二の端部マージンが前記第一の取付部に向かう方向へ前記第二の取付部に対して平行移動できるように構成されたものである、
請求項２１に記載のランバーサポート装置。
【請求項３３】
前記本体の前記第一の端部マージンが第一の取付部に通常平行となる軸の周りに枢支回動できるように、前記第一の取付部および前記本体の前記第一の端部マージンに枢支回動可能となるように接続されたコネクタをさらに備える、
請求項２１に記載のランバーサポート装置。
【請求項３４】
第一の側部と第二の側部とを有するシートフレームを備えており、
前記第一の取付部が動作可能なように前記本体の前記第一の端部マージンが前記シートフレームの前記第一の側部へ接続され、
前記第二の取付部が動作可能なように前記本体の前記第二の端部マージンが前記シートフレームの前記第二の側部へ接続される、
請求項２１に記載のランバーサポート装置。
【請求項３５】
互いに空間的に離隔配置された第一および第二の取付部と、
本質的にワイヤで構成されており、長手方向に対向する第一および第二の端部マージンの間を長手方向の軌跡に沿って延在し、前記前記第一の端部マージンは動作可能なように前記第一の取付部に接続され、前記第二の端部マージンは動作可能なように前記第二の取付部に接続され、前記第一の端部マージンは前記第一の取付部に対して片持ち梁状に延在する第一の端部レバーアームを含む、本体と、
前記本体の前記第一の端部マージンが前記第一の取付部に通常平行である軸の回りを枢支回動するように、前記本体の前記第一の取付部と前記第一の端部レバーアームとに枢支回動可能に接続されたコネクタと、
前記コネクタを介して動作可能なように前記本体に接続されており、増加する曲げモーメントに応じて前記本体の前記長手方向の軌跡の曲率が増加するように、前記本体の前記第一の端部マージン内で前記増加する曲げモーメントを、前記コネクタを介して選択的に誘起するように構成かつ適用される、アクチュエータアセンブリと、
を備えるランバーサポート装置。
【請求項３６】
前記ワイヤは、前記本体の前記第一の端部マージンから前記本体の前記第二の端部マージンへ延在する少なくとも１本の連続ワイヤを含んでおり、
前記少なくとも１本の連続ワイヤは、前記本体の前記長手方向の軌跡に沿って延在しかつ前記第二の端部マージンでレバーアームを形成するときに波形形状となるように形成され、前記レバーアームは前記第二の取付部に対して片持ち梁状に延在し、かつ前記アクチュエータアセンブリが前記レバーアームを介して前記本体の前記第二の端部マージン内で曲げモーメントを誘起するように構成かつ適用される、
請求項３５に記載のランバーサポート装置。
【請求項３７】
前記連続ワイヤが前記第一と第二の端部マージンとの間で少なくとも２つの中間部をさらに含んでおり、
前記第二の取付部は、一対のコイルスプリングを含む、
請求項３６に記載のランバーサポート装置。
【請求項３８】
前記本体は、前記第一の取付部と前記第二の取付部との間の長手方向の軌跡に沿って延在する中間部をさらに含んでおり、
前記長手方向の軌跡は、前記第一と第二の取付部との間にある１つの点を有し、
前記点は長手方向に対向する方向に前記点から延在する前記中間部の第一と第二の小部分を画定し、かつともに前記中間部の全体を構成し、
前記少なくとも１本の連続ワイヤの波形形状は、前記第一の小部分が前記第二の小部分の平均曲げ剛性より小さい平均曲げ剛性を有し、
前記本体が前記長手方向の軌跡に沿って延在するときに、前記本体の第一の小部分が第一の端部マージンを第二の小部分から分離する、
請求項３６に記載のランバーサポート装置。
【請求項３９】
前記第二の取付部は、最初に前記本体の曲率が増加するときに、前記本体の前記第二の端部マージンが前記第一の取付部に向かう方向に前記第二の取付部に対して平行移動するように構成される、
請求項３５に記載のランバーサポート装置。
【請求項４０】
第一および第二の側部を有するシートフレームをさらに備えており、
前記第一の取付部は、動作可能なように前記本体の前記第一の端部マージンを前記シートフレームの前記第一の側部に接続し、
前記第二の取付部は、動作可能なように前記本体の前記第二の端部マージンを前記シートフレームの前記第二の側部に接続する、
請求項３５に記載のランバーサポート装置。
【発明の詳細な説明】
【技術分野】
【０００１】
本発明は、一般にランバーサポート装置に関する。さらに詳しくは、本発明は、形状、特に、ランバー部分内の曲率を変化させることができるランバーサポート装置に関する。
【背景技術】
【０００２】
ランバーサポート装置はシートに組込まれていて、形状を変化させることができるので、各搭乗者がシートに合わせてサポートを調節できるようになっている。従来、この装置の曲率は調節可能であり、搭乗者が装置を操作して、ランバー部内の搭乗者の脊柱線に向かってシートを前に押すようになっている。正弦形状スプリングエレメントなどの支持構造体を移動させるアクチュエータアセンブリを使用して、ランバーサポート装置の曲率を変化させることは一般に知られている。また、ハンドルまたはノブを使用した手動操作あるいは、駆動モータや制御スイッチを使用した動力補助装置を用いたアクチュエータアセンブリも提供されている。通常は、支持構造体をランバー部内前方へ移動させ、支持構造体部分をランバー部内へ回転させ、または支持構造体をランバー部内へ向かって湾曲させることにより、曲率が増加する。
【発明の開示】
【課題を解決するための手段】
【０００３】
本発明の一態様としては、シートフレーム、シートフレームに接続された一対のブラケット、シートフレームを横切る中央部とその中央部分対向側の一対の片持ち端部を形成するようにその一対のブラケットに接続されたスプリングアセンブリ、および片持ち端部を動作可能なように接続するアクチュエータアセンブリを備えるストラップランバー装置が挙げられる。上記一対のブラケットにより、各々、片持ち端部が回転中心とされる一対の支持台が設けられる。
【０００４】
好適な実施形態においては、スプリングアセンブリはコネクタにより取り付けられた２つの一体に形成された正弦形状スプリングエレメントを具備し、またスプリングアセンブリの中央部は窪み部を有している。本発明の他の実施形態においては、単一の正弦形状スプリングはブラケット回りに回転する片側だけの片持ち端部を有しており、リーフスプリングは一対のコイルスプリング回りに片持ちされている。ランバーサポート装置は、シートフレーム内で水平または垂直方向に向けることができ、片持ち端部の方向を反転させることができる。
【０００５】
操作時には、支持台により片持ち端部がレバーとしての機能を果たす。アクチュエータアセンブリにより、支持台の回りを回転し、中央部を湾曲させるレバーが移動する。支持台は、レバーの端末とスプリングの中央部との間に配置され、ブラケット内でのレバーの滑りを防止し、レバーをブラケット回りに強制的に回転させている。
【０００６】
本発明の他の態様としては、第一と第二の取付部、本体、およびアクチュエータアセンブリを備えて成るランバーサポート装置が挙げられる。取付部は互いに間隔をあけて配置（離隔配置）され、本体は、動作可能なように取付部に接続される対向端周辺部を有する。本体は基本的にはワイヤで構成され、さらに、第一と第二の取付部間において本体の長手方向の軌跡に沿って延在する中間部を有して成る。長手方向の軌跡に沿った点が、中間部の第一と第二の小部分を画定し、ワイヤは、第一の小部分が第二の小部分の平均曲げ剛性より小さい曲げ剛性を有するような形状及び構成とされる。さらに、本体の第一の端部マージンは片持ち梁の形状で延在するレバーアームから成り、アクチュエータアセンブリはレバーアームを介して本体に動作可能なように接続される。アクチュエータアセンブリは、レバーアームを介して本体の第一の端部マージン内で曲げモーメントを誘起するように構成かつ適用され、本体の長手方向の軌跡が選択的に第一と第二の位置の間で湾曲できるようにされる。第一の小部分の平均曲げ剛性と第二の小部分の平均曲げ剛性との間の差が少なくとも一部の要因となり、第一の小部分に沿った長手方向の曲率変化割合が、第二の小部分に沿った長手方向の軌跡の曲率変化割合よりも大きくされる。その結果、第一の小部分の曲率は、アクチュエータアセンブリによって付加される曲げモーメントに対応して、第二の小部分の曲率よりも実質的に増加する。よって、本体の長手方向の軌跡が選択的に第一と第二の位置の間で湾曲すると、本体の第一の小部分は第二の小部分よりも膨張して、効率的な方法で本体を所望の形状にすることができる。さらに、本体が上記のような特性を有し、基本的にはワイヤで構成されているので、本ランバーサポート装置は低コストで製造することができて、また、簡便に組立てられる。
【０００７】
さらに、本発明の他の態様のランバーサポート装置は、第一と第二の取付部、本体、およびアクチュエータアセンブリを備えて成る。取付部は互いに間隔をあけて配置され、本体は動作可能なように取付部に接続される対向端周辺部を有する。第一の端部マージンは、本体を形成するワイヤによって形成されるレバーアームを有して成っている。レバーアームは片持ち梁の形状で延在し、アクチュエータアセンブリが第一の端部マージンに増加した曲げモーメントを誘起することができるようになる。本体も形成するワイヤからレバーアームを形成することにより、ランバーサポート装置の組立は簡略化され、ランバーサポート装置のコストは実質的に低減される。
【０００８】
本発明のさらに他の態様においては、シートアセンブリのシートバックの軌跡（軌道）を調整する方法が開示されている。この方法は、剛体シートフレームとシートバックを有するシートアセンブリを提供し、第一と第二の取付部をシートバックと隣接しながら互いに間隔をあけて配置するように、第一と第二の取付部をシートフレームに選択的に取り付ける。さらに、この方法は、シートバックを支持し、シートバックに軌跡を設けるためのワイヤで基本的に構成されている本体を提供する方法を有している成る。本体は、第一と第二の端部マージン部を有しており、本体長手方向の軌跡の２つの連続半分割部のうちの一方が、２つの半分割部の他方に沿って延在する本体の第二の部分の曲げ剛性よりも実質的に小さい曲げ剛性を有するように、ワイヤが形状化、および構成される。さらに、この方法は、動作可能なように本体の第一の端部マージンを第一の取付部に接続し、第二の端部マージンを第二の取付部に接続して、本体がシートバックを支持できるようにすることと、動作可能なようにアクチュエータアセンブリを本体へ接続することを備えて成る。曲げモーメントの増加に対応して本体の長手方向の曲率が増加するように、本体の端部マージンの少なくとも１ヵ所に曲げモーメントを増加させて選択的に付加すべく、アクチュエータアセンブリが構成かつ適用されている。またさらに、この方法は、アクチュエータアセンブリを用いて、本体の第一と第二の端部マージン部の少なくとも１つに曲げモーメントを増加させて付加することにより、第一の一から第二の位置までにおいて本体の曲率を調整することを含んでいる。本体の曲率を調整すると、本体の第一の部分の曲げ剛性は本体の第二の部分の曲げ剛性よりも実質的に小さくなるので、本体の第一の部分の曲率は本体の第二の部分の曲率よりも大きくなる。その結果、シートバックの軌跡が所望の形状に調整される。
【０００９】
本発明の目的は、簡便に製造でき、かつ低価格なランバーサポート装置を提供することである。
【００１０】
さらに本発明の他の目的は、平らな状態では薄い形状となる機械的に簡略化されたランバーサポート装置を提供することである。
【発明を実施するための最良の形態】
【００１１】
本発明の利点は添付の図面を参照した以下の説明から明らかになる。添付の図面においては、同様なエレメントには同じ番号を付記している。
【００１２】
図１、図２、および図３に示すように、ランバーサポート装置１０の好適な実施形態は、概略、第一の側部１４と第二の側部１６を有するシートフレーム１２と、各々第一と第二の側部１４，１６に固定された第一のブラケット１８と第二のブラケット２０と、中央部２８の対向側で第一と第二の片持ち端部２４，２６を各々形成するようにブラケット１８，２０の一対に接続されたスプリングアセンブリ２２と、動作可能なように片持ち端部２４，２６を接続するアクチュエータアセンブリ３０とを備えている。第一と第二のブラケットは各々第一と第二の支持台３２，３４を具備している。第一の支持台３２は、第一の側部１４の付近に配置され、第二の側部１６から離れて配置され、第二の支持台３４は第二の側部１６の付近に配置され、第一の側部１４から離れて配置されている。
【００１３】
好適な実施形態としては、スプリングアセンブリ２２の中央部２８は第一と第二の片持ち端部２４，２６と一体に形成されている。第一と第二の片持ち端部２４，２６は、各々、回動可能に接続され、第一と第二のブラケット１８，２０の回りに片持ち支持され、中央部２８は第一と第二のブラケット１８，２０との間のシートフレームを横切るように設けられている。第一と第二の片持ち端部２４，２６は第一と第二の３６，３８を有しており、各々は、第一と第二の片持ち端部２４，２６が第一と第二のレバー４０，４２を区画するようにされている。第一のレバー４０は第一の支持台３２から第一の端末部３６まで延在し、第二のレバー４２は第二の支持台３４から第二の端末部３８まで延在している。アクチュエータアセンブリ３０は第一と第二の端末部３６，３８を接続し、各々のレバー４０，４２の端末部３６，３８に互いに押付けるように作動して、第一と第二の支持台３２，３４の回りにレバー４０，４２を回動させ、中央部２８を折り曲げる。図面において、破線は作動位置を示している。
【００１４】
中央部２８は、折り曲げられていない場合に中央部２８の厚さ４６を低減する窪み部４４を有している。ブラケット１８，２０は剛体としてシートフレーム１２に取り付けられており、片持ち端部２４，２６は各々の支持台に回動のみが可能となるように取り付けられている。支持台１８，２０は各片持ち端部２４，２６の摺動を防止している。窪み部４４がないと、直線中央部（図５及び図６参照）はブラケット１８，２０間の直線と同じ長さとなり、直線中央部内の湾曲部に力を印加すると中央部が折り曲げられ、中央部を延長する必要があり、また、アクチュエータアセンブリにさらに力を出力させて、湾曲及び延長を発生させる必要がある。窪み部４４があると、中央部２８はブラケット間の直線よりも長くなる。従って、窪み部４４によって、中央部２８を折り曲げるためにアクチュエータアセンブリ３０により必要とされる力が低減される。その理由は、中央部２８を延長する場合、力が必要であれば、この力は少なくてすむからである。
【００１５】
アクチュエータアセンブリ３０は好ましくはボーデンケーブルアセンブリ４６とアクチュエータ４８を含んでいる。ボーデンケーブルアセンブリ４６は、被覆部５０、ベース５２、ロッド５４、および非被覆部分５６を有している。ロッド５４と非被覆部分５６は各々レバー４０，４２の端末部３６，３８を連結している。ベース５２はロッド５４と被覆部５０の一端とを保持し、被覆部５０の他端はアクチュエータ４８に接続されている。各々のレバー４０，４２の端末部３６，３８を互いに力を印加すると、アクチュエータ４８はボーデンケーブルアセンブリ４６を介して牽引力を端末部３６，３８に伝達する。好適な実施形態では、牽引アクチュエータアセンブリ３０を使用しているが、推進力を供給するアクチュエータといった他の種類のアクチュエータアセンブリを使用することができる。例えば、パルスアクチュエータアセンブリの一例として、ねじアクチュエータ（図示なし）をねじ付きロッド（図示なし）に係合して、各レバー４０，４２の端末部３６，３８を互いに押付けることもできる。
【００１６】
スプリングアセンブリ２２は、ブラケット１８，２０に同様に取り付けられた一対の正弦スプリング５８，６０から形成されることが好ましい。正弦スプリング５８，６０の各々については、中央部２８は正弦形状内へ曲げられた単一のワイヤから片持ち端部２４，２６とともに一体的に形成される。スプリング５８，６０は一対のコネクタ６２，６４によってともに保持されるが、本発明によれば、図４、図５および図６に示されるように、一対のうちのいずれか一つ、つまり正弦スプリング５８または正弦スプリング６０のいずれかを使用する。好適な実施形態においては、第一のループ６６は回動可能に接続され、第一のブラケット１８の回りに片持ち支持されていて、第一の片持ち端部２４を区画し、最後のループ６８は回動可能に接続され、第二のブラケット２０の回りに片持ち支持されていて、第二の片持ち端部２６を区画している。中央部２８は一対のブラケット１８，２０との間で複数のループ７０を有している。このループ７０には、第一のループ６６とともに一体に成形された第二のループ７２と最後のループ６８とともに一体に成形された第二から最後までのループ７４が含まれる。
【００１７】
好適な実施形態で示されているように、第一の側部１４は通常第二の側部１６に対向し、第一の側部１４はシートフレーム１２の右側にあり、第二の側部１６はシートフレーム１２の左側にある。またシートフレーム１２は、各々第一の側部１４と第二の側部１６として代わりに使用できる上部側部７６と下部側部７８とを具備している。また、本発明のものは、逆向きにも取り付けることができ、また、本発明のものは、シートフレーム１２の下部８０に取り付けてもよい。
【００１８】
図１、図２および図３に示すように、第一と第二のブラケット１８，２０は、直接かつ剛体的に第一と第二の側部１４，１６に各々取り付けられる。ブラケットをシートフレームに溶接し、ブラケットを金具で取り付けたり、ブラケットをシートフレーム内に一体に成形したり、または、直接かつ剛体的に接続するような他の方法を使用することにより、上記のように固定接続することができる。また、ブラケット１８，２０とシートフレーム１２との間の接続は、必ずしも直接的または剛体的である必要はない。非直接的な接続例としては、ブラケット１８，２０とシートフレーム１２との間にコイルスプリング（図示せず）などのような追加構造エレメントが介挿されている場合が挙げられ、この場合には、接続は直接的でも剛体的でもない。その代わりに、ブラケット１８，２０は直接シートフレーム１２に接続され、コイルスプリングは支持台３２，３４と各々のレバー４０，４２との間に介挿されていてもよい。剛体的ではない直接的な接続例としては、ブラケット１８，２０の支持台３２，３４またはシートフレームに一端で取り付けられ、レバーにもう一端で（図７参照）取り付けられたコイルスプリングといった、シートフレームに回動可能に取り付けられたループ（図示せず）を有するロッドが挙げられる。最終的に、ブラケットは、シートフレーム１２を中央部２８に対して実質的に垂直方向に横切るように設けられ、各々の側部１４，１６付近と離れた部分との第一および第二の支持台３２，３４を設けることができる。例えば、中央部２８が（左右間で）シートフレーム１２を水平方向に横切るような構成の場合には、ブラケットは上端側部および下端側部でフレームに取り付けられたフレームの対向側上での一対のほぼ平行なロッド（図示せず）とすることが可能である。かかる構成の場合、左側上のフレームを横切るように設けられたロッドにより左側付近に支持台を設けることができ、また右側のフレームを横切るように設けられたロッドにより右側付近に支持台を設けることができる。
【００１９】
ランバーサポート装置１０の変形実施形態を図４および図５に示す。正弦形状スプリング１００は上述した好適な実施形態におけるスプリングアセンブリ２２と同様に構成されており、中央部１０２は、窪み部分は設けられておらず、シートフレーム１２を直線状に横切るように設けられている。スプリング１００のみがシートフレーム１２の第一の側部１４で１つのレバー１０４を有しており、ボーデンケーブルアセンブリ１０６によってレバー１０４はアクチュエータ１０８と接続されている。ブラケット１１０は第一の側部１４において剛体的にシートフレーム１２に取り付けられている。また、ブラケット１１０はレバー１０４が掛けられるフック１１２を有しているので、レバー１０４はフック１１２内で回動するとともに、多少、摺動することができる。一体型ブラケット１１４はシートフレーム１２の第二の側部１６内で形成され、スプリング１００の第二の端部１１６は回動可能に一体型ブラケット１１４に取り付けられる。
【００２０】
上記で開示されているように、窪み部がない場合には、中央部１０２はブラケット１１０，１１６間の直線長さと同じ長さとされる。フック１１２を具備するブラケット１１０により、アクチュエータ１０８は、レバー１０４のみを回転できるようにする場合に必要とされる力よりも少ない力で中央部１０２を折り曲げることができる。例えば、ブラケット１１０をループが具備されたブラケットに交換すると、好適な実施形態に示されるように、レバー１０４は摺動や平行移動をしなくなり、アクチュエータ１０８は中央部１０２内で曲げたり延ばしたりする力を作用させることになる。レバー１０４はブラケット１１４内で摺動することができるが、ブラケット１１４は、レバー１０４を摺動させないようにする支持台１１８を有してレバー１０４を強制的に回動させるべく、摺動が制限される。
【００２１】
図６及び図７は、ランバーサポート装置１０の本発明に係る他の変形実施形態を示す。図６は、上述した他の実施形態とは反対側に向いているレバー１２０を示す。いずれの実施形態においても、スプリングが曲がり形状に形成されている場合には、レバーを逆方向に使用して、スプリングを平らにすることができ、この場合、牽引アクチュエータアセンブリをパルスアクチュエータアセンブリに置き換えたり、またその逆も可能である。図７は、ブラケットとして働く一対のコイルスプリング１２４を介してシートフレーム１２に接続されたリーフスプリング１２２を示す。図１、図２および図３に示した好適な実施形態では、一対の正弦形状スプリング５８，６０と一対の片持ち端部２４，２６を具備するスプリングアセンブリ２２が設けられているが、この変形実施形態ではランバーサポート装置１０は単一のスプリングと単一の片持ち端部を備えていてもよく、また異なった種類のスプリングを作動させることも可能であることが明らかである。上説したランバーサポート装置１０の各々の実施形態においては、どの支持台もレバーの端末部とスプリングの中央部との間に配置されるのが好ましい。
【００２２】
図８及び図９は、本発明に係るランバーサポート装置２００の第四の変形実施形態を示す。第四の実施形態のランバーサポート装置２００は、上述したスプリングアセンブリと同様に構成された本体２０２と、取付部２０４，２０６と、アクチュエータアセンブリ２０８とを備えて成る。本体２０２は、第一の端部マージン２１０と第二の端部マージン２１２とを有しており、基本的にワイヤで形成される。ワイヤは、シートアセンブリに使用されている公知の種類の金属スプリングワイヤが好ましい。本体の中間部２１３がその間で長手方向に延在するように、本体の第一の端部マージン２１０は好ましくは第一の取付部２０４，２０６に接続され、第二の端部マージン２１２は第二の取付部に接続されているのが好ましい。図８に示すように、ランバーサポート装置２００の取付部２０４，２０６は、互いに間隔をあけて垂直に配置され、この場合に、ランバーサポート装置が取り付けられるシートのシートバック（図示せず）付近に本体２０２が配置されるように、シートフレーム２１４に取り付けるのが好ましい。このようにすれば、ランバーサポート装置２００の本体２０２の長手方向寸法は、シートフレーム２１４の側部２１６に略平行に延在した寸法となる。
【００２３】
第四の実施形態のランバーサポート装置２００の第一の取付部２０４は、好ましくは、一方のシートフレーム側部２１６から他方の側部へシートフレーム２１４の幅を横切る単一のワイヤ取付部２１８を有して成る。また、第一の取付部２０４は、好ましくは、ガラス補強ナイロンから形成されるコネクタ２２０から成る。コネクタ２２０は枢支的にワイヤ取付部２１８と本体２０２の第１の端部マージン２１０とに接続され、本体の第一の端部マージンは、ワイヤ取付部２１８に略平行とされ、かつ本体２０２の長手方向に対して垂直な軸の回りに枢支回動に設けられる。ランバーサポート装置２００の第二の取付部２０６は、好ましくは、本体２０２の第二の端部マージン２１２の反対側側部２２４を側部２１６またはシートフレーム２１４の上端部へ接続する一対のブラケット２２２を有して成る。上記ブラケット２２２の各々は図４に示すランバーサポート装置１０の変形実施形態のブラケット１１０と同様に構成されており、また、上記で説明したのと同様に、各々はフック２２６を具備して成る。図４に示すランバーサポート装置１０の変形実施形態のブラケット１１０と同じく、フック２２６は、第二の端部マージンがブラケットに対して第一の端部マージン２１０に向かって所定距離だけ摺動し、その後回動のみ可能となるように、本体２０２の第二の端部マージン２１２の各々の側部２２４を保持している。
【００２４】
好ましくは、本体２０２は、本体の第一の端部マージン２１０から本体の第二の端部マージン２１２へ長手方向に延在しかつ２つの波状のスプリング２３０が形成され本体２０２の中間部２１３を横切るように、第一の端部マージンへ戻る単一の正弦形状ワイヤ２２８で形成されることが好ましい。２つの波状スプリング２３０は、通常は本体２０２の２つの中間部とみなすことができる。レバーアーム２３２は、ワイヤが第一の端部マージン２１０へループ状に戻ると、本体２０２の第二の端部マージン２１２において波形ワイヤ２２８によって形成される。図９を参照すると最も理解し易く、本体２０２の第二の端部マージン２１２におけるレバーアーム２３２は本体２０２から片持ち支持され、第二の取付部２０６のブラケット２２２の各フック２２６を介して延在する軸の回りにモーメントアームが形成される。同様にして、波形ワイヤ２２８の対向端部２３４は本体２０２の第一の端部マージン２１０において急角度で曲げられて、前記周辺部と共にこの位置で片持ち支持される一対のレバーアーム２３６を形成し、それらレバーアームの各々は、第一の取付部２０４のワイヤ取付部２１８の中央軸に対して、ともにモーメントアームを形成する。第一の端部マージン２１０のレバーアーム２３６は、好ましくは、第一の取付部２０４のコネクタ２２０によって連結され、また間隔をあけて保持される。図示されているように、第一の端部マージン２１０におけるレバーアーム２３６は、本体２０２の第二の端部マージン２１２におけるレバーアーム２３２より僅かに長い寸法とすることが好ましい。
【００２５】
ランバーサポート装置２００の第四の実施形態における本体２０２の要部は、波形スプリング２３０の構成にある。上述した実施形態とは異なり、第四の実施形態における各々の波状スプリング２３０の軌跡の正弦形状は、各々均等にされておらず、スプリング２３０は、本体２０２の中間部２１３を長手方向に横切るように設けられている。特に、本体２０２の中間部２１３は理論的に長手方向の軌跡に沿った点において、曲げ剛性が異なり長手方向に延在する第一および第二の小部分２３８，２４０に分割することができる。波状スプリング２３０が長手方向に本体の中間部２１３を横切るときに、各波状スプリング２３０の波形を変化させることにより曲げ剛性に差を生じさせることが好ましい。特に、第一の小部分２３８内における各々の波状スプリング２３０の波形は、第二の小部分２４０における平均周波数および平均振幅より大きいことが好ましい。こうした場合の直接的な結果として、中間部２１３の第一の小部分２３８は実質的に第二の小部分２４０よりも小さい曲げ剛性を有すると、第一の小部分は第二の小部分よりも曲がり易くなることが当業者には容易に理解される。この柔軟性の差が、曲げ応力を受けて使用されるときに、本体２０２の長手方向の軌跡の形状に影響を与える。以下で説明するように、より好ましい方法としては、本体を非対称に折り曲げることが挙げられる。
【００２６】
第四の実施形態におけるランバーサポート装置２００のアクチュエータアセンブリ２０８は、好ましくは図１〜図３に示す好適実施形態のアクチュエータアセンブリと同様に構成され、アクチュエータアセンブリの特定の種類と構成はこの実施形態では特に重要ではない。アクチュエータアセンブリ２０８は、好ましくは選択的に物体間で牽引力を発生させるように構成かつ適用されるボーデンケーブル２４２を有して成る。図９において明示されているように、アクチュエータアセンブリ２０８は動作可能なように本体２０２の各端部マージン２１０，２１２のレバーアーム２３２，２３６に接続され、作動時には、ここでアクチュエータアセンブリは、レバーが互いに力をかけるように作動する。
【００２７】
第四の実施形態におけるランバーサポート装置は、通常は図４および図５に示されるランバーサポート装置１０と同様に作動する。最初の位置では、図９において実線で示されるように、本体２０２の中間部２１３の長手方向の軌跡は実質的に直線状に延在する。さらに、最初の位置では本体２０２の第二の端部マージン２１２は、図４および図５に示されているようなフック２２６の構成とされているので、第二の取付部２０６のブラケット２２２に対して、第一の端部マージン２１０方向に自由に所定距離だけ摺動することができる。所望の場合には、アクチュエータアセンブリ２０８を作動させて本体２０２の端部マージン２１０，２１２のレバーアーム２３２，２３６間で牽引力を発生させることができる。上記で説明した実施形態と同様に、レバーアーム２３２，２３６上での牽引力により、各端部マージン２１０，２１２内で曲げモーメントが誘起され、このモーメントにより中間部２１３の長手方向に軌跡が発生し、第二の位置へ曲がり、この位置で横幅方向に対して垂直方向に外側に向かって折り曲げられる。この状態は、図９において点線で示されている。
【００２８】
これまで説明したランバーサポート装置の実施形態とは異なり、第四の実施形態のランバーサポート装置２００の本体２０２は、非対称形状に折り曲げられる。この非対称の折れ曲がりは、上記で説明したように中間部２１３の構成が少なくとも一部の要因とされるが、その結果、第一の小部分の曲げ剛性は第二の小部分２４０の曲げ剛性より実質的に小さくなる。この曲げ剛性により、所定の誘起された曲げモーメントに関し、第一の小部分２３８にわたる本体２０２の中間部２１３の長手方向の軌跡は、第二の小部分２４０の軌跡よりも曲率が増加する。従って、第一の小部分２１３の長手方向の軌跡は、第二の小部分２４０と比較すると、第一の小部分２３８にわたってさらに外側へ膨らむ傾向がある。アクチュエータアセンブリ２０８により本体２０２にわたって誘起される曲げモーメントは必ずしも一定ではないが、第一および第二の小部分２３８，２４０間の曲げモーメントの差は、上記のような膨らみの少なくとも一部の原因ともなる。また、本体２０２は、好ましくは、第一の長手方向半分割部２３８がシートフレーム２１４に対して第二の半分割部２４０の下部に配置されるように配向され、人がシートにもたれると本体の第一の半分割部が人のランバー部付近に配置されるようにされる。つまり、第二の小部分２４０に比較して、本体２０２の中間部２１３の第一の小部分２３８が不均等に膨らんだり或いは曲折したりすることが、必要に応じてさらにランバーを支持するために望ましい。
【００２９】
図１０に示す第五の実施形態におけるランバーサポート装置３００は、実質的に第四の実施形態におけるランバーサポート装置２００と同様な構成を有しており、本体３０２、第一の取付部３０４、およびアクチュエータアセンブリ３０６を備えている。しかし、第五の実施形態におけるランバーサポート装置３００の第二の取付部３０８は、本体３０２の第二の端部マージン３１４の対向側部３１２を装置が配置されているシートフレーム３１８の側部３１６へ動作可能なように接続する一対のコイルテンションスプリング３１０を有している。
【００３０】
操作時には、コイルテンションスプリング３１０は、第四の実施形態におけるランバーサポート装置２００のブラケット２２２と同様に作動し、本体がアクチュエータアセンブリ３０６によって折り曲げられると、本体３０２の第二の端部マージン３１４が本体の第一の端部マージン３２０に向かって平行移動できるようになる。しかし、第四の実施形態におけるランバーサポート装置２００のブラケット２２２とは異なり、コイルテンションスプリング３１０は弾性的に延在することにより、このような動きを実現できるので、コイルテンションスプリングと本体３０２との間の相対的な摺動は発生しない。つまり、上記で説明した第四の実施形態におけるランバーサポート装置２０２に比較して、第五の実施形態におけるランバーサポート装置３０２は、使用時に、摩耗したり固着したりする傾向が少なく、また、より簡易な構造とされる。
【００３１】
図１１は、ランバーサポート装置４００の他の実施形態を示す。このランバーサポート装置４００の第六の実施形態は、上記で説明した第四および第五の実施形態と同様な効果が得られるように構成かつ適用されたものであるが、本体４０２の構成が異なる。第四および第五の実施形態の本体２０２，３０２と同様に、第六の実施形態におけるランバーサポート装置４００の本体４０２は、本体の第一および第二の端部マージン４０６，４０８との間の本体の中間部４０５を長手方向に横切るように設けられた一対の波形スプリング４０４を備えて成る。ただし、第四および第五の実施形態におけるランバーサポート装置２００，３００とは異なり、中間部４０５の第一の小部分４１２にわたるワイヤの平均径が中間部の第二の小部分４１４にわたるワイヤの平均径より小さくなるように長手方向に伸びると、各々の波形スプリング４０４を形成するワイヤ４１０は、基準寸法（ゲージ）が変更される。図１１で示されるように、環状バンド４２０で大径ワイヤ４１６の部分が小径ワイヤ部４１８に圧着すると、基準寸法が変えられる。その代わりに、異なった基準ワイヤ部を突合せ溶接して、基準寸法が変化する連続ワイヤ（図示せず）を形成するか、または当業者が理解できる他の適当な技術を用いて同様な作用効果を得ることができる。例えば、長手方向の軌跡に沿って、異なった基準寸法のワイヤを最初に形成したり、または異なる材料特性のワイヤ部を使用することにより同様な作用効果が得られる。
【００３２】
上記で説明したように１つ以上の基準寸法となるワイヤで構成されるので、本体４０２の中間部４０５の第一の小部分４１２での曲げ剛性は第二の小部分４１４の曲げ剛性より遥かに小さくなり、必ずしも異なった波形形状を有する必要はない。この場合、本体４０２の中間部４０５の第一の小部分４１２は、本体が曲げモーメントを受けると、第二の小部分４１４よりも曲率が増加する傾向がある。
【００３３】
第四および第五の実施形態におけるランバーサポート装置２００，３００に対し、第六の実施形態におけるランバーサポート装置４００を比較した場合の差は、第二の取付部４２２である。第六の実施形態におけるランバーサポート装置４００の第二の取付部４２２は、閉ループ端部４２６を有する一対のブラケット４２４から構成され、閉ループ端部４２６により第二の端部マージン４０８とそのブラケットとの間で枢支運動のみが可能となり、図１〜図３、また上記で説明したブラケットと同様である。
【００３４】
上記で説明した相違のほかにも、第六の実施形態におけるランバーサポート装置４００は、第四および第五の実施形態におけるランバーサポート装置２００，３００と同様な点がある。つまり、この第六の実施形態におけるランバーサポート装置の本体４０２は、第四および第五の実施形態の本体２０２，３０２とよく似た作動をし、作動時には同様な所望の不均一な可撓動作を行なうことが理解される。
【００３５】
本発明の範囲から逸脱することなく、本文で記載、示されている構造や方法により種々の変形が可能であるので、上記の説明に含まれ、または添付図面に示されている項目全ては限定されるものではないと解釈されるべきである。例えば、本発明では特に正弦形状スプリングとリーフスプリングを使用して説明しているが、リーフスプリングと正弦形状スプリングとで製作された複合スプリングまたはコイルスプリングを使用した組合せなどの一体型成形スプリング、またはスプリングの組合せを本文で説明したスプリングに交換できることは当業者にとって明らかである。よって、本発明の範囲は上記で説明した実施形態により制限されるものではなく、請求の範囲及びその等価な範囲によって定義されなければならない。
【図面の簡単な説明】
【００３６】
【図１】フレーム内に設置されたランバーサポート装置の好適実施形態の斜視図である。
【図２】ランバーサポート装置の好適実施形態の正面図である。
【図３】ランバーサポート装置の好適実施形態の上面図である。
【図４】本発明に係るランバーサポート装置の第一の変形実施形態の正面図である。
【図５】図４に示すランバーサポート装置の第一の変形実施形態の上面図である。
【図６】本発明に係るランバーサポート装置の第二の変形実施形態を示す。
【図７】本発明に係るランバーサポート装置の第三の変形実施形態を示す。
【図８】フレーム内に設置された第四の変形実施形態を示す。
【図９】図８に示すランバーサポート装置の第四の変形実施形態の側面図である。
【図１０】本発明に係るランバーサポート装置の第五の変形実施形態を示す図である。
【図１１】本発明に係るランバーサポート装置の第六の変形実施形態を示す図である。
【国際公開パンフレット】
2004527304.tif 000003
2004527304.tif 000004
2004527304.tif 000005
2004527304.tif 000006
2004527304.tif 000007
2004527304.tif 000008
2004527304.tif 000009
2004527304.tif 000010
2004527304.tif 000011
2004527304.tif 000012
2004527304.tif 000013
2004527304.tif 000014
2004527304.tif 000015
2004527304.tif 000016
2004527304.tif 000017
2004527304.tif 000018
2004527304.tif 000019
2004527304.tif 000020
2004527304.tif 000021
2004527304.tif 000022
2004527304.tif 000023
2004527304.tif 000024
2004527304.tif 000025
2004527304.tif 000026
2004527304.tif 000027
2004527304.tif 000028
2004527304.tif 000029
2004527304.tif 000030
2004527304.tif 000031
2004527304.tif 000032
2004527304.tif 000033
2004527304.tif 000034
2004527304.tif 000035
2004527304.tif 000036
【国際公開パンフレット（コレクトバージョン）】
2004527304.tif 000037
2004527304.tif 000038
【手続補正書】
【提出日】平成15年4月17日(2003.4.17)
【手続補正１】
【補正対象書類名】図面
【補正対象項目名】全図
【補正方法】変更
【補正の内容】
【図１】
2004527304.tif 000039
【図２】
2004527304.tif 000040
【図３】
2004527304.tif 000041
【図４】
2004527304.tif 000042
【図５】
2004527304.tif 000043
【図６】
2004527304.tif 000044
【図７】
2004527304.tif 000045
【図８】
2004527304.tif 000046
【図９】
2004527304.tif 000047
【図１０】
2004527304.tif 000048
【図１１】
2004527304.tif 000049
【国際調査報告】
2004527304.tif 000050